【手続補正書】
【提出日】平成17年10月27日(2005.10.27)
【手続補正１】
【補正対象書類名】明細書
【補正対象項目名】特許請求の範囲
【補正方法】変更
【補正の内容】
【特許請求の範囲】
【請求項１】  （ａ）下記一般式（１）
（Ｒ1）nＳｉ（ＯＲ2）4-n・・・・・（１）
（式中、Ｒ1は、２個存在するときは同一または異なり、炭素数１〜８の１価の有機基を示し、Ｒ2は、同一または異なり、炭素数１〜５のアルキル基または炭素数１〜６のアシル基を示し、ｎは０〜２の整数である。）で表されるオルガノシラン、該オルガノシランの加水分解物および該オルガノシランの縮合物の群から選ばれた少なくとも１種、
（ｂ１）水および／または有機溶剤、
（ｃ）シリカおよび／またはアルミナ、ならびに
（ｄ）紫外線吸収能を有する半導体の微粒子
を含有することを特徴とする、コーティング組成物。
【請求項２】  （ｄ）紫外線吸収能を有する半導体の微粒子が、ルチル結晶のＴｉＯ2、ＺｎＯおよびＣｅＯ2の群から選ばれた少なくとも１種である請求項１記載のコーティング組成物。
【請求項３】  （ｂ１）水の使用量が、（ａ）成分におけるオルガノシラン１モルに対し、０.５〜３モルである請求項１または２記載のコーティング組成物。
【請求項４】  （ｃ）成分の使用量が（ａ）成分１００重量部に対し５〜５００重量部で、（ｄ）成分の使用量が（ａ）成分１００重量部（オルガノシラン換算）に対し固形分換算で１〜１５０重量部である請求項１〜３いずれかに記載のコーティング組成物。
【請求項５】  （ａ）下記一般式（１）
（Ｒ1）nＳｉ（ＯＲ2）4-n・・・・・（１）
（式中、Ｒ1は、２個存在するときは同一または異なり、炭素数１〜８の１価の有機基を示し、Ｒ2は、同一または異なり、炭素数１〜５のアルキル基または炭素数１〜６のアシル基を示し、ｎは０〜２の整数である。）で表されるオルガノシラン、該オルガノシランの加水分解物および該オルガノシランの縮合物の群から選ばれた少なくとも１種、
（ｂ２）加水分解性基および／または水酸基と結合したケイ素原子を有するシリル基を含有する重合体、
（ｃ）シリカおよび／またはアルミナ、ならびに
（ｄ）紫外線吸収能を有する半導体の微粒子
を含有することを特徴とする、コーティング組成物。
【請求項６】  （ｄ）紫外線吸収能を有する半導体の微粒子が、ルチル結晶のＴｉＯ2、ＺｎＯおよびＣｅＯ2の群から選ばれた少なくとも１種である請求項５記載のコーティング組成物。
【請求項７】  （ｂ２）成分の使用量が、（ａ）成分におけるオルガノシラン１００重量部に対し、２〜９００重量部である請求項５または６記載のコーティング組成物。
【請求項８】  （ｃ）成分の使用量が（ａ）成分と（ｂ２）成分の合計量１００重量部に対し固形分換算で５〜５００重量部で、（ｄ）成分の使用量が（ａ）成分および（ｂ２）成分の合計量１００重量部に対し固形分換算で１〜１５０重量部である請求項５〜７いずれかに記載のコーティング組成物。
【請求項９】  さらに、（ｂ１）水および／または有機溶剤を含有する請求項５〜８いずれかに記載のコーティング組成物。
【請求項１０】  塗料の下塗り用コーティング組成物である、請求項１〜９いずれかに記載のコーティング組成物。
【手続補正２】
【補正対象書類名】明細書
【補正対象項目名】００１４
【補正方法】変更
【補正の内容】
【００１４】
また、（ａ）成分の市販品には、三菱化学（株）製のＭＫＣシリケート、コルコート社製のエチルシリケート、東レ・ダウコーニング社製のシリコーンレジン、東芝シリコーン（株）製のシリコーンレジン、信越化学工業（株）製のシリコーンレジン、ダウコーニング・アジア（株）製のヒドロキシル基含有ポリジメチルシロキサン、日本ユニカー（株）製のシリコーンオリゴマーなどがあり、これらをそのまま、または縮合させて使用してもよい。
【手続補正３】
【補正対象書類名】明細書
【補正対象項目名】００２４
【補正方法】変更
【補正の内容】
【００２４】
（ｄ）成分を本発明の組成物中に配合する方法としては、他の成分の調製後に添加してもよく、あるいは本発明の組成物の調製時に添加し、（ｄ）成分の存在下で、（ａ）成分を構成するオルガノシランなどを加水分解・部分縮合させることもできる。（ｄ）成分を組成物の調製時に添加すると、（ｄ）成分中の半導体化合物を（ａ）成分などと共縮合させることができ、（ｄ）成分の分散性を向上させることができる。また、（ｄ）成分が水系ゾルである場合は、組成物の調製時に添加するのが好ましく、また後述する（ｆ）成分の配合により系内の粘性が上昇する場合にも、（ｄ）成分を組成物の調製時に添加する方が好ましい。
【手続補正４】
【補正対象書類名】明細書
【補正対象項目名】００３３
【補正方法】変更
【補正の内容】
【００３３】
（イ−２）官能基（α）を有するラジカル重合開始剤（例えば、４，４’−アゾビス−４−シアノ吉草酸など）を使用し、あるいは、ラジカル重合開始剤と連鎖移動剤の双方に官能基（α）を有する化合物（例えば、４，４’−アゾビス−４−シアノ吉草酸とジチオグリコール酸など）を使用して、ビニル系単量体を（共）重合して、重合体分子鎖の片末端あるいは両末端にラジカル重合開始剤や連鎖移動剤に由来する官能基（α）を有する（共）重合体を合成したのち、該（共）重合体中の官能基（α）に、官能基（β）と炭素・炭素二重結合とを有する不飽和化合物を反応させることにより、重合体分子鎖の片末端あるいは両末端に炭素−炭素二重結合を有する不飽和ビニル系重合体を製造する方法。
【手続補正５】
【補正対象書類名】明細書
【補正対象項目名】００３９
【補正方法】変更
【補正の内容】
【００３９】
（ニ）（メタ）アクリルアミド、Ｎ−メチロール（メタ）アクリルアミド、Ｎ−メトキシメチル（メタ）アクリルアミド、Ｎ−ブトキシメチル（メタ）アクリルアミド、Ｎ，Ｎ′−メチレンビスアクリルアミド、ダイアセトンアクリルアミド、マレイン酸アミド、マレイミドなどの酸アミド化合物；
（ホ）塩化ビニル、塩化ビニリデン、脂肪酸ビニルエステルなどのビニル化合物；
（ヘ）１，３−ブタジエン、２，３−ジメチル−１，３−ブタジエン、２−ネオペンチル−１，３−ブタジエン、２−クロロ−１，３−ブタジエン、２−シアノ−１，３−ブタジエン、イソプレン、アルキル基、ハロゲン原子、シアノ基などの置換基で置換された置換直鎖共役ペンタジエン類、直鎖状および側鎖状の共役ヘキサジエンなどの脂肪族共役ジエン；
【手続補正６】
【補正対象書類名】明細書
【補正対象項目名】００７８
【補正方法】変更
【補正の内容】
【００７８】
上記充填材の具体例としては、鉄、銅、アルミニウム、ニッケル、銀、亜鉛、フェライト、カーボンブラック、ステンレス鋼、二酸化ケイ素、酸化クロム、酸化マンガン、酸化鉄、合成ムライト、水酸化アルミニウム、水酸化鉄、炭化ケイ素、窒化ケイ素、窒化ホウ素、クレー、ケイソウ土、消石灰、石膏、タルク、炭酸バリウム、炭酸カルシウム、炭酸マグネシウム、硫酸バリウム、ベントナイト、雲母、亜鉛緑、クロム緑、コバルト緑、ビリジアン、ギネー緑、コバルトクロム緑、シェーレ緑、緑土、マンガン緑、ピグメントグリーン、群青、紺青、岩群青、コバルト青、セルリアンブルー、ホウ酸銅、モリブデン青、硫化銅、コバルト紫、マルス紫、マンガン紫、ピグメントバイオレット、亜酸化鉛、鉛酸カルシウム、ジンクエロー、硫化鉛、クロム黄、黄土、カドミウム黄、ストロンチウム黄、チタン黄、リサージ、ピグメントエロー、亜酸化銅、カドミウム赤、セレン赤、クロムバーミリオン、ベンガラ、亜鉛白、アンチモン白、塩基性硫酸鉛、チタン白、リトポン、ケイ酸鉛、酸化ジルコン、タングステン白、鉛、亜鉛華、バンチソン白、フタル酸鉛、マンガン白、硫酸鉛、黒鉛、ボーン黒、ダイヤモンドブラック、サーマトミック黒、植物性黒、チタン酸カリウムウィスカー、二硫化モリブデンなどを挙げることができる。これらの充填材は、単独でまたは２種以上を混合して使用することができる。充填材の使用量は、組成物の全固形分１００重量部に対して、通常、３００重量部以下である。
【手続補正７】
【補正対象書類名】明細書
【補正対象項目名】００８９
【補正方法】変更
【補正の内容】
【００８９】
プライマーの種類としては、例えば、アルキド樹脂、アミノアルキド樹脂、エポキシ樹脂、ポリエステル、アクリル樹脂、ウレタン樹脂、フッ素樹脂、アクリルシリコン樹脂、アクリル樹脂エマルジョン、エポキシ樹脂エマルジョン、ポリウレタンエマルジョン、ポリエステルエマルジョンなどを挙げることができる。
また、これらのプライマーには、厳しい条件での基材と塗膜との密着性が必要な場合、各種の官能基を付与することもできる。このような官能基としては、例えば、水酸基、カルボキシル基、カルボニル基、アミド基、アミノ基、グリシジル基、アルコキシシリル基、エーテル結合、エステル結合などを挙げることができる。さらに、プライマーには、紫外線吸収剤、紫外線安定剤などが配合されていてもよい。
本発明に用いられる組成物を基板に塗布する方法としては、いずれの組成物の場合も、刷毛、ロールコーター、フローコーター、遠心コーター、超音波コーター、（マイクロ）グラビアコーターなどを用いたり、ディップコート、流し塗り、スプレー、スクリーンプロセス、電着、蒸着などが挙げられる。また、あらかじめ基板に下塗りを施して、本発明の組成物を塗布することもできる。